(57)【特許請求の範囲】
【請求項１】
物理的ダウンリンク共有チャネル（ＰＤＳＣＨ）レートマッチングを決定するための方法であって、
ダウンリンク協調多地点（ＣｏＭＰ:ｃｏｏｒｄｉｎａｔｅｄ  ｍｕｌｔｉ−ｐｏｉｎｔ）送信のために構成されるユーザー機器（ＵＥ）において基地局からフォールバック送信を受信することと、
前記フォールバック送信に応答して、デフォルトのセル特定基準記号（ＣＲＳ）リソース要素（ＲＥ）セットに基づいてＰＤＳＣＨ復調推定ＰＤＳＣＨレートマッチングを実施することと、
を含む、方法。
【請求項２】
請求項１に記載の方法であって、
前記デフォルトのＣＲＳ  ＲＥセットが、サービスする基地局ＣＲＳ  ＲＥセットである、方法。
【請求項３】
請求項１に記載の方法であって、
前記デフォルトのＣＲＳ  ＲＥセットが、無線リソース制御（ＲＲＣ）高次層により構成される複数のＣＲＳ  ＲＥセットの第１のＣＲＳ  ＲＥセットである、方法。
【請求項４】
請求項１に記載の方法であって、
前記フォールバック送信がコンパクトなダウンリンク制御情報（ＤＣＩ）フォーマットで成される、方法。
【請求項５】
請求項４に記載の方法であって、
前記ＤＣＩフォーマットがＤＣＩ  １Ａフォーマットでのフォールバックスケジューリングである、方法。
【請求項６】
請求項１に記載の方法であって、
基地局から受信したダウンリンク制御情報（ＤＣＩ）信号におけるＣＲＳリソース要素（ＲＥ）シグナリングフィールドの値を決定することと、
フォールバック送信が受信されない場合に、前記ＤＣＩ信号における前記値に対応するＣＲＳ  ＲＥセットに基づいてＰＤＳＣＨ復調推定レートマッチングを実施することと、
を更に含む、方法。
【請求項７】
請求項６に記載の方法であって、
前記デフォルトのＣＲＳ  ＲＥセットが、サービスする基地局ＣＲＳ  ＲＥである、方法。
【請求項８】
請求項６に記載の方法であって、
前記デフォルトのＣＲＳ  ＲＥセットが、無線リソース制御（ＲＲＣ）高次層により構成される複数のＣＲＳ  ＲＥセットの第１のＣＲＳ  ＲＥセットである、方法。
【請求項９】
請求項６に記載の方法であって、
前記ＤＣＩ信号における前記ＣＲＳ  ＲＥシグナリングフィールドの値が、無線リソース制御（ＲＲＣ）高次層により構成されるＣＲＳ  ＲＥセットに対応する、方法。
【請求項１０】
ユーザー機器デバイスであって、
レシーバ回路であって、前記ユーザー機器デバイスがダウンリンク協調多地点（ＣｏＭＰ）送信のために構成されるときに基地局からフォールバック送信を受信するように構成される、前記レシーバ回路と、
前記プロセッサ回路であって、前記フォールバック送信に応答して、デフォルトのセル特定基準記号（ＣＲＳ）リソース要素（ＲＥ）セットに基づいてＰＤＳＣＨ復調推定ＰＤＳＣＨレートマッチングを実施するように構成される、前記プロセッサ回路と、
を含む、デバイス。
【請求項１１】
請求項１０に記載のユーザー機器であって、
前記プロセッサが、
基地局から受信したダウンリンク制御情報（ＤＣＩ）信号におけるＣＲＳリソース要素（ＲＥ）シグナリングフィールドの値を決定し、
フォールバック送信が受信されない場合に、前記ＤＣＩ信号の前記値に対応するＣＲＳ  ＲＥセットに基づいてＰＤＳＣＨ復調推定レートマッチングを実施する、
ように更に構成され、
前記ＤＣＩ信号における前記ＣＲＳ  ＲＥシグナリングフィールドの値が、無線リソース制御（ＲＲＣ）高次層により構成されるＣＲＳ  ＲＥセットに対応する、デバイス。
【請求項１２】
請求項１０に記載のユーザー機器であって、
前記デフォルトのＣＲＳ  ＲＥセットが、サービスする基地局ＣＲＳ  ＲＥセットと、無線リソース制御（ＲＲＣ）高次層により構成される複数のＣＲＳ  ＲＥセットの第１のＣＲＳ  ＲＥセットとから選択される、デバイス。
【発明の詳細な説明】
【技術分野】
【０００１】
ロングタームエボリューション（ＬＴＥ）ワイヤレスネットワークは、複数の基地局で構成される。エボルブドノードＢ（ｅＮｏｄｅＢ又はｅＮＢ）などの各基地局は、それ自体のセルＩＤを備えた単一セルとして構成され得、特定のサービスエリアをカバーするようにアサインされ得る。従来のワイヤレスネットワークにおいて、モバイル端末又はユーザー機器（ＵＥ）は、常に、単一セル送信／受信で１つの接続されたセルに接続され、そのセルからアップリンク（ＵＬ）及びダウンリンク（ＤＬ）データを受信する。ダウンリンクでは、他の基地局からの送信がＵＥに対するセル間干渉を生成する。アップリンクでは、ＵＥの、それがサービスセルへの送信は、他のセル又は基地局に対するセル間干渉を生成する。
【発明の概要】
【０００２】
ＤＬ協調多地点（ＣｏＭＰ：Coordinated Multi-Point）送信では、ダウンリンクデータを送信する送信ポイント（例えば、セル）は、サブフレーム毎ベースでダイナミックにスイッチし得る。異なるセルは、異なるセル特定基準記号（ＣＲＳ）（例えば、異なるアンテナポート数、周波数シフト）を有し得るため、ＵＥが物理的ダウンリンク共有チャネル（ＰＤＳＣＨ）レートマッチングを推定し得る付近のＣＲＳパターンをシグナリングする必要がある。ｎビット情報フィールドが、ＤＬ  ＣｏＭＰスケジューリングのためのダウンリンク制御情報（ＤＣＩ）フォーマットに含まれ得る。各コードポイントが、ＰＤＳＣＨがレートマッチングされる付近の、無線リソース制御（ＲＲＣ）高次層構成のＣＲＳリソース要素（ＲＥ）セットに対応する。データスケジューリングを実施するためコンパクトなＤＣＩフォーマット（例えば、ＤＣＩ  １Ａ）をｅＮＢが用いる全てのセルラーシステムに対してフォールバックオペレーションが必要とされる。ＣｏＭＰ  ＵＥがＤＣＩ  １Ａでフォールバックスケジューリングを受信するとき、ＵＥはＰＤＳＣＨレートマッチングのためにＣＲＳ  ＲＥを知る必要がある。一実施例において、ＤＬ  ＣｏＭＰにおいて構成されるＵＥがフォールバック送信を受信するとき、サービスセルＣＲＳ付近でＰＤＳＣＨがレートマッチングされる。
【０００３】
代替の実施例において、ＤＬ  ＣｏＭＰにおいて構成されるＵＥがフォールバック送信を受信するとき、ＲＲＣ高次層シグナリングにより示されるＣＲＳ  ＲＥの一つの付近でＰＤＳＣＨがレートマッチングされる。例えば、ＰＤＳＣＨは、第１のＲＲＣ高次層構成のＣＲＳ  ＲＥセット付近でレートマッチングされ得る。
【図面の簡単な説明】
【０００４】
【図１】一実施例に従ったワイヤレスネットワークを図示するブロック図である。
【０００５】
【図２Ａ】種々の実施例において用いられる単一セルＣＲＳパターンの図である。
【図２Ｂ】種々の実施例において用いられる単一セルＣＲＳパターンの図である。
【図２Ｃ】種々の実施例において用いられる単一セルＣＲＳパターンの図である。
【０００６】
【図３】種々の実施例においてｅＮＢ又はＵＥとして用いられ得るシステムの高レベルブロック図である。
【０００７】
【図４】一実施例に従ったＰＤＳＣＨレートマッチングを決定するための方法を図示するフローチャートである。
【０００８】
【図５】別の実施例に従ったＰＤＳＣＨタイミングを決定するための方法のフローチャートを図示する。
【発明を実施するための形態】
【０００９】
協調多地点（ＣｏＭＰ）送信は、ＵＥ及び複数の送信ポイントへ、及びＵＥ及び複数の送信ポイントから、データを送信及び受信するために用いられる。送信ポイントは、例えば、セルとして構成されるｅＮｏｄｅＢ、マクロセル、ピコセル、フェムトセル、リモート無線ヘッド、分配アンテナ、他のワイヤレス送信体、又はそれらの組み合わせを含み得る。送信ポイントは、ビームフォーミングベクトル、送信電力、及び／又はスケジューリング判定を含む、ダウンリンクビームフォーミング信号を共に最適化するために互いに調整する。他の送信ポイントからの信号が相互チャネル干渉をつくる従来のワイヤレスネットワークとは異なり、複数の送信ポイント間の調整により、相互チャネル干渉を低減し、受信信号対雑音比（ＳＮＲ）をブーストし、セル平均スループットを増大し、セルエッジカバレッジを改善するように、信号が協調して設計され得る。
【００１０】
下記のタイプのＣｏＭＰ送信方式が可能である。
【００１１】
接合伝送（ＪＴ）は、時間周波数リソースにおいて複数のポイントから単一のＵＥ又は複数のＵＥへの同時データ送信を可能とする。ＵＥへのデータは、複数のポイントから同時に送信される。データは、受信信号品質及び／又はデータスループットを改善するため、及び／又は他のＵＥのために干渉をアクティブに相殺するため、コヒーレントに又はノンコヒーレントに送信され得る。
【００１２】
ダイナミックポイント選択（ＤＰＳ）は、各時間インスタンスにおける１つのポイントからのデータ送信を可能とする。実際の送信ポイントは、１つのサブフレームから別のサブフレームへ変わり得る。データは、複数のポイントで同時に利用可能である。
【００１３】
基準信号の存在下におけるダウンリンクデータのマッピング
図１は、ワイヤレスネットワーク１００を図示するブロック図である。ワイヤレスネットワーク１００は、ダウンリンクで直交周波数分割多元接続（ＯＦＤＭＡ）を及びアップリンクで単一キャリア周波数分割多元接続（ＦＤＭＡ）を用いる、ＬＴＥネットワークであり得る。ＬＴＥは、システム帯域幅を、周波数トーン又は周波数ビンと呼ばれ得る複数の直交するサブキャリアに区分する。各サブキャリアは、データ、制御、又は基準信号で変調され得る。ワイヤレスネットワーク１００は、多数のｅＮＢ１０１〜１０４及び他のネットワークエンティティを含む。ｅＮＢ１０１〜１０４はＵＥ１０５と通信する。各ｅＮＢ１０１〜１０４は、特定の地理的エリア又は「セル」のための通信サービスを提供する。
【００１４】
ＵＥ１０５は、静的又はモバイルであり得、ワイヤレスネットワーク１００全体にわたって配置され得る。ＵＥ１０５は、ターミナル、モバイルステーション、加入者ユニット、モバイル電話などのステーション、パーソナルデジタルアシスタント（ＰＤＡ）、ワイヤレスモデム、ラップトップ又はノートブックコンピュータ、タブレットなどと呼ばれ得る。ＵＥ１０５が一つ以上のｅＮＢ１０１〜１０４と通信し得る。１つのｅＮＢ１０１が一次セル（ＰＣｅｌｌ）となり、他のｅＮＢ１０２〜１０４が二次サービスセル（ＳＣｅｌｌ）となり得る。
【００１５】
基準信号は、ワイヤレスネットワーク１００のオペレーションにとって重要である。ワイヤレスネットワークが必然的に異なるタイプの基準信号を有し、これらの信号は、通常、基地局１０１〜１０４から同時にデータと共に送信される。例えば、ＬＴＥウンリンクシステムは、一次同期化信号（ＰＳＳ）及び二次基準信号（ＳＳＳ）、セル特定基準信号（ＣＲＳ）、チャネル状態情報基準信号（ＣＳＩ−ＲＳ）、及び復調基準信号（ＤＭＲＳ）を含む。
【００１６】
ＰＳＳ／ＳＳＳは、セル特定であり、ＵＥ１０５にセル検索及び初期同期化を実施させる。ＵＥ１０５が始動するとき、それは盲目的に幾つかのセル１０１〜１０４のＰＳＳ／ＳＳＳを検出し、最高信号強度を有する最も強いセル１０１に接続する。接続されたセル１０１は、「サービスセル」としてＵＥ１０５により識別され、ワイヤレスネットワーク１００への接続を保つため全ての必須のシステム情報を提供する。サービスセル１０１のセルＩＤは、ＰＳＳ／ＳＳＳの関数としてＵＥ１０５により導出される。ＰＳＳ／ＳＳＳはまた、ＵＥ１０５が各サブフレームの時間ドメイン開始位置を理解するように、初期タイミング同期化を提供する。
【００１７】
ＣＲＳは、セル特定であり、プリコードされておらず、ＵＥ１０５がダウンリンクタイミングを継続的に追跡することを可能とする。ＬＴＥシステムにおいて、｛１、２、４｝ＣＲＳアンテナポートが基地局により構成され得、ＣＲＳアンテナポートにより占められる時間／周波数リソース要素（ＲＥ）は、ＣＲＳアンテナポートの数によって決まる。リソース要素は、１つのＯＦＤＭ記号における１つのＯＦＤＭサブキャリアに対応するＬＴＥにおける最小時間周波数ユニットである。時間ドメインでは、各サブフレームは、１ｍｓの時間期間であり、１４個のＯＦＤＭ記号を含む。周波数ドメインでは、１つのサブフレームがＮ個のリソースブロックを含み、各リソースブロックは、１２個のＯＦＤＭサブキャリアで構成される。Ｎはシステム帯域幅の関数であり、例えば、１．４／３／５／１０／２０ＭＨｚシステム帯域幅でＮ＝６／１５／２５／５０／１００である。各セル１０１〜１０４のＣＲＳも、セル間ランダム化を達成するために周波数ドメインにおいてシフトされ、周波数シフトは、セルＩＤの関数である。ｅＮｏｄｅＢ１０１〜１０４は、１０個のサブフレーム毎に最大６個のマルチキャストブロードキャスト単一周波数ネットワーク（ＭＢＳＦＮ）サブフレームを構成し得、ＣＲＳはＭＢＳＦＮサブフレームにおいて送信されないことに留意されたい。
【００１８】
ＣＳＩ−ＲＳは、ＵＥ１０５がチャネル状態情報測定及びフィードバックを実施する、プリコードされていない信号のセットである。ＬＴＥにおいて、ＵＥ１０５は、ワイヤレスチャネルを直接的にフィードバックせず、ランクインジケータ、プリコーディング行列インジケータ、チャネル品質インジケータを含む、推奨されるマルチプル入力／多出力（ＭＩＭＯ）送信特性のセットをフィードバックする。ランクインジケータ（ＲＩ）は、ＵＥ１０５が信頼性を持って受信し得るデータストリームの数である。プリコーディング行列インジケータ（ＰＭＩ）が、ＵＥ１０５がダウンリンクプリコーディングのために推奨するプリコーディングベクトルに対応する。チャネル品質インジケータ（ＣＱＩ）が、チャネル品質／強度を反映し、信号対雑音比（ＳＮＲ）として又はダウンリンク送信に推奨される伝送ブロックのサイズとして量子化されることもある。
【００１９】
ＤＭＲＳは、ＵＥ特定であり、データと同じプリコーダによりプリコードされ、ＵＥ１０５がデータ送信を受信する周波数ブロックにおいてのみ送信される。ＤＭＲＳは、ＵＥ１０５が、プリコーディングベクトルを知ることなく、プリコーディングチャネルを直接的に測定することを可能にする。
【００２０】
レガシーＬＴＥ単一セル送信（例えば、ＬＴＥリリース８〜１０）において、ダウンリンクデータ送信が単一のサービスセル１０１から開始される。データ送信を正しく受信するため、ＵＥ１０５は、サービスセルのＲＳパターンを考慮することのみを必要とする。更に具体的には、ＰＤＳＣＨデータが、ＣＲＳ付近でレートマッチングされ、サービスセル１０１のＣＲＳにより占められる任意のリソース要素にマッピングされない。
【００２１】
図２Ａ〜図２Ｃは単一セルＣＲＳパターンの図である。図２Ａは１ポートＣＲＳ用である。図２Ｂは２ポートＣＲＳ用である。図２Ｃは４ポートＣＲＳ用である。異なるセルが、異なる数のＣＲＳアンテナポートを備えて構成され得る。また、セルのＣＲＳは、周波数ドメインにおけるＣＲＳshift＝ｍｏｄ（ＰＣＩ，６）のサブキャリアによりシフトされ得、ＰＣＩは物理的セルＩＤである。
【００２２】
ＣｏＭＰオペレーションでは、ＬＴＥネットワーク１００は、複数の（Ｎ）個のＣＳＩ−ＲＳリソースを構成し、各ＣＳＩ−ＲＳリソースが送信ポイント１０１〜１０４に対応する。ＵＥ１０５は、対応するＣＳＩ−ＲＳリソースを用いて各送信ポイント１０１〜１０４に対するパーポイントチャネルを測定する。しかし、ＵＥ１０５は各ＣＳＩ−ＲＳリソースと送信ポイントとの間の関連を必ずしも知る必要はない。Ｎ個のＣＳＩ−ＲＳリソースはＣｏＭＰ測定セットとして定義される。
【００２３】
Ｃｏｍｐのための基準信号の存在下のダウンリンクデータのマッピング
ＤＬ  ＣｏＭＰでは、ダウンリンクデータを送信する送信ポイント１０１〜１０４は、サブフレーム毎ベースでダイナミックにスイッチし得る。異なるセル１０１〜１０４は、異なるＣＲＳパターン（例えば、アンテナポートの数、周波数シフト）を有し得るため、ＵＥ１０５がＰＤＳＣＨレートマッチングを推定し得る付近のＣＲＳパターンをシグナリングする必要がある。そのために、ｎビット情報フィールドが、ダウンリンク制御信号に又はＤＬ  ＣｏＭＰスケジューリング専用のダウンリンク制御インジケータ（ＤＣＩ）フォーマットに含まれ得る。ｎビット情報フィールドの各コードポイントは、ＰＤＳＣＨがレートマッチングされる付近の、ＲＲＣ高次層構成のＣＲＳ  ＲＥセットに対応する。例えば、一実施例において、ＲＲＣ高次層は、４つの有り得るＣＲＳ  ＲＥセットを構成し得る。各ＣＲＳ  ＲＥセットが、ＣｏＭＰ送信における送信ポイント１０１〜１０４のうちの１つ又は送信ポイント１０１〜１０４のセットに関連し得るＣＲＳリソース要素のセットを含む。
【００２４】
ＣｏＭＰスケジューリングのためのダイナミックＤＣＩフォーマットにおける２ビットシグナリングフィールドが、ＰＤＳＣＨレートマッチングのための４つのＣＲＳ  ＲＥセットのうちの一つをダイナミックにシグナリングするために用いられ得る。各ＣＲＳ  ＲＥセットは、単一セルＣＲＳパターンに対応しない可能がある。ＣＲＳ  ＲＥセットが複数の単一セルＣＲＳパターンの組み合わせに対応する場合、ＣＲＳ  ＲＥセットを複数のセルからの接合送信に用いることができる。２ビットＣＲＳシグナリングフィールド及び関連するＵＥ推定の一例が表１で得られる。
【表１】
0006412000.tif 000002
【００２５】
ＵＥ１０５が成功裏にネットワーク１００への接続を確立した後、サービスセル１０１は、特定のダウンリンク送信モードでＵＥを構成する。各無線サブフレームにおいて、ＵＥ１０５は、構成されるＤＬ送信モードに関連付けられる専用ＤＣＩフォーマットを監視する。このようなＤＣＩフォーマットが見つかった場合、ＵＥは、ＤＣＩにより搬送される制御情報に従って、ＰＤＳＣＨダウンリンクデータを復号するよう進む。また、各サブフレームにおいて、ＵＥ１０５はまた、フォールバックＤＣＩフォーマット１Ａを監視する必要がある。フォールバックＤＣＩフォーマット１ＡがＵＥ１０５により見つけられた場合、ＵＥは、ＤＣＩ  １Ａにより搬送される制御情報を用いてダウンリンクＰＤＳＣＨデータを復号する。フォールバックオペレーションは、全てのセルラーシステムに重要である。フォールバックの間、基地局１０１は、ＵＥ１０５へのダウンリンク送信をスケジュールするためコンパクトなＤＣＩフォーマット（例えば、ＤＣＩ  １Ａ）を用いる。データ送信は、単一層送信ダイバーシティ（ＴｘＤ）ベースの送信にフォールバックする。下記の理由によりフォールバックが実行され得る。
【００２６】
フォールバックスケジューリングに用いられるＤＣＩフォーマットは、構成されるダウンリンク送信モードに関連付けられる専用のＤＣＩフォーマットよりも、小さなサイズ及び一層良好なカバレッジを有する。１つのサブフレームにおいて多数のＵＥがスケジュールされる必要があるとき、制御チャネル容量が制限され得る。この場合、ネットワークは、制御チャネル制約を緩和するためにフォールバック送信を用い得る。
【００２７】
ネットワークは、ＵＥをその現在の送信モードから異なる送信モードへ無線リソース制御（ＲＲＣ）を介して切り替えることを必要とし得る。このスイッチング期間の間、モードスイッチングがＲＲＣ再構成により成功裏に完了するまでＵＥのワイヤレスネットワークへの接続を維持するために、フォールバックが用いられる。
【００２８】
ワイヤレスチャネル状態は、特に、ＵＥが急速に移動するとき又は大きな信号透過損失を起こす高層ビルで囲まれるとき、揺らぎ得る。チャネル品質劣化は、ネットワークが、その通常データ及び制御チャネルＤＣＩフォーマットをＵＥが信頼性を持って受信することができるか否かが確かでなくなるのに足る程大きくなり得る。この場合、ネットワークは、ＵＥへのダウンリンク接続が失われないことを確実にするために一層ロバストな単一層ＴｘＤベースの送信方式にフォールバックし得る。同様に、構成される送信モードのＤＣＩフォーマットが、チャネル品質劣化に起因して信頼性を持って受信されない可能性がある。フォールバックは、より小さいサイズのＤＣＩフォーマットを用い、ダウンリンクデータのためにロバストな単一層送信方式を用いるため、制御チャネルのロバストな受信を確実とする。
【００２９】
ＣｏＭＰ  ＵＥが、ＤＣＩ  １Ａでフォールバックスケジューリングを受信するとき、それは、ＰＤＳＣＨレートマッチングのためにＣＲＳ  ＲＥを知る必要がある。しかし、現在のフォールバックＤＣＩフォーマット１Ａが単一セルマッピングを推定する。従って、それは、ＰＤＳＣＨレートマッチングのためのＣＲＳに関する情報を搬送しない。一実施例において、ＤＬ  ＣｏＭＰにおいて構成されるＵＥがフォールバック送信を受信するとき、ＰＤＳＣＨがサービスセルＣＲＳ付近でレートマッチングされる。これは、ダウンリンクＰＤＳＣＨデータがサービスセル１０１により、又はそのＣＲＳパターンがサービスセル１０１のＣＲＳパターンのサブセットである別のセル１０２〜１０４により送信されるシナリオに対応し得る。代替として、ＤＬ  ＣｏＭＰにおいて構成されるＵＥがフォールバック送信を受信するとき、ＲＲＣ高次層シグナリングにより示されるＣＲＳ  ＲＥセットのうちの一つ付近でＰＤＳＣＨがレートマッチングされる。例えば、ＰＤＳＣＨは、表１の「００」フィールドに対応して、第１のＲＲＣ高次層構成のＣＲＳ  ＲＥセット付近でレートマッチングされ得る。これは、例えば、表１のコードポイント「００」フィールドが、サービスセル１０１以外のセル（例えば、１０２）に対応するようにネットワークにより構成される、セミスタティックポイント選択のシナリオに適用し得る。
【００３０】
ＣｏＭＰのための受信タイミング
受信タイミングは、ＣｏＭＰオペレーションにおいて考慮されるべき重要な要因である。ＯＦＤＭシステムにおいて、正しい高速フーリエ変換（ＦＦＴ）処理及びサイクリックプレフィックス（ＣＰ）の除去を実施するため、ＰＤＳＣＨデータ送信のダウンリンクタイミングは、ＵＥ１０５において既知である必要がある。ＵＥは、ＰＳＳ／ＳＳＳを介してサービスセル１０１への初期タイミング取得を得、サービスセル１０１のＣＲＳ又はＣＳＩ−ＲＳによるサービスセル１０１のダウンリンクタイミングを追跡する。単一セル送信において、ＵＥ１０５は通常、ＰＤＳＣＨ復調のためにそのダウンリンク基準信号（ＣＲＳ又はＣＳＩ−ＲＳ）のタイミングを再利用し、ＰＤＳＣＨに対する個別のタイミング推定を実施しない。これは、ＵＥ１０５複雑性を低減し、また、ＰＤＳＣＨデータ及び基準信号（ＣＲＳ又はＣＳＩ−ＲＳ）が同じ基地局から発せられるため、単一セル送信において理想的に機能し得る。
【００３１】
マルチポイント送信では、特定のサブフレームにおいて、ＵＥは、そのサービスセル１０１以外のセル１０２〜１０４からダウンリンクＰＤＳＣＨデータを受信し得る。異なる送信ポイント１０１〜１０４からの伝播遅延は異なり得るため、別のセル１０２〜１０４からＰＤＳＣＨデータを受信するとき、ＵＥはもはやセル１０１のダウンリンクタイミングを再利用することができない。ＰＤＳＣＨ受信のための正確なタイミングがＵＥ１０５にシグナリングされる必要がある。一実施例において、高次層は、タイミング推定のセットを構成し得、ＵＥ１０５に対する１つのタイミング推定をダイナミックに示す。このようなダイナミックシグナリングは、ＣＲＳパターンシグナリングのものを再利用し得る。例えば、ＣＲＳ  ＲＥシグナリング及びタイミングシグナリングは、ＤＣＩフォーマットで共にエンコードされ得る。このようなタイミング推定が、ＣＲＳに関連付けられ得るか、又はＣＳＩ−ＲＳ測定セットにおけるＮ個の構成されたＣＳＩ−ＲＳリソースのうちの一つのいずれかであり得る。表２は、ＤＣＩフォーマットでの２ビットＣＲＳ  ＲＥシグナリングフィールドのためのＰＤＳＣＨレートマッチング及びタイミング推定の例示の表を図示する。
【００３２】
ＣｏＭＰ  ＵＥがＤＣＩ  １Ａでフォールバックスケジューリングを受信するとき、ＵＥはＰＤＳＣＨ復調のためのタイミングを知る必要がある。しかし、現在のフォールバックＤＣＩフォーマット１Ａはタイミング情報を搬送していない。一実施例において、ＤＬ  ＣｏＭＰにおいて構成されるＵＥがフォールバック送信を受信するとき、ＰＤＳＣＨタイミングは、サービスセルＣＲＳのタイミングを用いる。代替として、ＤＬ  ＣｏＭＰにおいて構成されるＵＥがフォールバック送信を受信するとき、ＰＤＳＣＨタイミングは、ＲＲＣ高次層シグナリングにより示されるタイミング推定のうちの一つを用いる。例えば、ＰＤＳＣＨタイミングは、表２の「００」フィールドに対応して、第１のＲＲＣ高次層構成のタイミング推定のものに従う。
【００３３】
図３は、ｅＮＢ又はＵＥとして用いられ得るシステム３００の高レベルのブロック図であり、これは、例えば、図１におけるｅＮＢ１０１〜１０４又はＵＥ１０５であり得る。システム３００は、送信プロセッサ３０２においてインタフェース３０１から送信されるべきデータを受信する。データは、例えば、オーディオ又はビデオ情報、又はＰＵＳＣＨで送信されるべき他のデータファイル情報を含み得る。送信プロセッサ３０２はまた、コントローラ３０３からＰＵＳＣＨで送信されるべき制御情報を受信し得る。送信プロセッサ３０２は、
データ記号、制御記号、及び基準記号を得るため、データ及び制御情報を処理（例えば、エンコード及び記号マップ）する。送信プロセッサ３０２はまた、データ記号及び／又は制御記号及び基準記号に対して空間処理又はプリコーディングを実施し得る。送信プロセッサ３０２の出力はモデム３０４に供給される。モデム３０４は、アンテナ３０５を介して送信される前に、アナログに変換すること、増幅すること、及びアップコンバートすることにより更に処理される出力サンプルストリームを得るために、送信プロセッサ３０２からの出力記号ストリームを処理する。他の実施例において、複数のアンテナ３０５での（ＭＩＭＯ）送信をサポートするために複数のモデム３０４が用いられ得る。
【表２】
0006412000.tif 000003
【００３４】
信号はまた、他のデバイスからアンテナ３０５でシステム３００において受信される。受信した信号は、復調のためモデム３０４に供給される。モデム３０４は、例えば、入力サンプルを得るため、フィルタリングすること、増幅すること、ダウンコンバートすること、及び／又はデジタル化することにより信号を処理する。例えば、モデム３０４は、デバイス３００がダウンリンクＣｏＭＰのために構成されるＵＥであるとき、基地局からフォールバック送信を受信し得る。モデム３０４又は受信プロセッサ３０６が、受信した記号を得るために入力サンプルを更に処理し得る。受信プロセッサ３０６は、復調、デインターリーブ、及び／又は復号により、記号を処理する。例えば、フォールバック送信に応答して、受信プロセッサ３０６は、デフォルトのＣＲＳ  ＲＥセットに基づくＰＤＳＣＨ復調推定ＰＤＳＣＨレートマッチングを実施し得る。受信プロセッサ３０５は更に、基地局から受信したＤＣＩ信号におけるＣＲＳ  ＲＥシグナリングフィールドの値を決定し得る。フォールバック送信が受信されない場合、受信プロセッサ３０５は、ダウンリンク制御信号における値に対応するＣＲＳ  ＲＥセットに基づいてＰＤＳＣＨ復調推定レートマッチングを実施し得、ＤＣＩ信号におけるＣＲＳ  ＲＥシグナリングフィールドの値は、ＲＲＣ高次層により構成されるＣＲＳ  ＲＥセットに対応する。フォールバック送信が受信される場合、フォールバック送信に応答して、受信プロセッサ３０５は、デフォルトのＣＲＳ  ＲＥセットに基づいてＰＤＳＣＨ復調推定レートマッチングを実施し得る。デフォルトのＣＲＳ  ＲＥセットは、サービスする基地局ＣＲＳ  ＲＥセット、ＲＲＣ高次層により構成される複数のＣＲＳ  ＲＥセットの第１のＣＲＳ  ＲＥセットから選択され得る。
【００３５】
受信プロセッサ３０６は、復号されたデータをｅＮＢ又はＵＥによる使用のためインタフェース３０１に提供する。受信プロセッサ更に、復号された制御情報をコントローラ３０３に提供する。コントローラ３０３は、タイミング及び電力レベルを調節することによるなど、ｅＮＢ又はＵＥにおけるシステム３００のオペレーションを指示し得る。メモリ３０７が、コントローラ３０３、送信プロセッサ３０２、及び／又は受信プロセッサ３０６のためのデータ及びプログラムコードをストアし得る。スケジューラ３０８などの付加的な構成要素が、（例えば、ｅＮＢにおける）システム３００による１つ又は複数の構成要素キャリアでのダウンリンク及び／又はアップリンクデータ送信をスケジュールし得る。
【００３６】
図４は、例示の実施例に従ったＰＤＳＣＨレートマッチングを決定するための方法を図示するフローチャートである。ステップ４０１において、ＵＥは、基地局から受信したＤＣＩ信号におけるＣＲＳ  ＲＥシグナリングフィールドの値を決定する。ステップ４０２において、フォールバック送信が受信されない場合、ＵＥは、ダウンリンク制御信号における値に対応するＣＲＳ  ＲＥセットに基づきＰＤＳＣＨ復調推定レートマッチングを実施する。
【００３７】
ステップ４０３において、フォールバック送信が、ダウンリンクＣｏＭＰのために構成されたＵＥにおいて基地局から受信される。ステップ４０４において、フォールバック送信に応答して、ＵＥは、デフォルトのＣＲＳ  ＲＥセットに基づいてＰＤＳＣＨ復調推定ＰＤＳＣＨレートマッチングを実施する。フォールバック送信は、ＤＣＩ  １Aフォーマットでのフォールバックスケジューリングなど、コンパクトなＤＣＩフォーマットであり得る。デフォルトのＣＲＳ  ＲＥセットは、サービスする基地局ＣＲＳ  ＲＥセット、又はＲＲＣ高次層により構成される複数のＣＲＳ  ＲＥセットの第１のＣＲＳ  ＲＥセットであり得る。ＤＣＩ信号におけるＣＲＳ  ＲＥシグナリングフィールドの値は、例えば、ＲＲＣ高次層により構成されるＣＲＳ  ＲＥセットに対応し得る。
【００３８】
図５は、別の例示の実施例に従ってＰＤＳＣＨタイミングを決定するための方法を図示するフローチャートである。ステップ５０１において、ＵＥは、基地局から受信したＤＣＩ信号におけるＣＲＳ  ＲＥシグナリングフィールドの値を決定する。ステップ５０２において、フォールバック送信が受信されない場合、ＵＥは、ダウンリンク制御信号における値に対応するＣＳＩ−ＲＳリソースのためのダウンリンクタイミングを用いてＰＤＳＣＨ復調を実施する。
【００３９】
ステップ５０３において、フォールバック送信が、ダウンリンクＣｏＭＰのために構成されるＵＥにおいて基地局から受信される。ステップ５０４において、フォールバック送信に応答して、ＵＥは、デフォルトのＰＤＳＣＨタイミング推定を用いてＰＤＳＣＨ復調を実施する。デフォルトのＰＤＳＣＨタイミングは、デフォルトのＣＲＳ  ＲＥセット又はＣＳＩ−ＲＳリソース、のためのタイミングであり得る。代替として、デフォルトのＰＤＳＣＨタイミングは、サービスする基地局ＣＲＳ、又はＲＲＣ高次層により構成される複数のＣＳＩ−ＲＳリソースの第１のＣＳＩ−ＲＳリソース、のタイミングであり得る。フォールバック送信は、ＤＣＩ  １AフォーマットでのフォールバックスケジューリングなどのコンパクトなＤＣＩフォーマットで成され得る。
【００４０】
代替として、ステップ５０５において、フォールバック送信に応答して、ＵＥは、デフォルトのＣＲＳ  ＲＥセット、又はＲＲＣ高次層により構成される複数のＣＳＩ−ＲＳリソースの第１のＣＳＩ−ＲＳリソース、のためのダウンリンクタイミングを用いてＰＤＳＣＨ復調を実施する。デフォルトのＣＲＳ  ＲＥセットは、サービスするセルＣＲＳであり得る。ＤＣＩ信号におけるＣＳＩ−ＲＳリソースシグナリングフィールドの値は、ＲＲＣ高次層により構成されるＣＳＩ−ＲＳリソースに対応し得る。
【００４１】
当業者であれば、本発明の特許請求の範囲内で、説明した例示の実施例に変形が成され得ること、及び多くの他の実施例が可能であることが分かるであろう。
【図１】
0006412000.tif 000004
【図２Ａ】
0006412000.tif 000005
【図２Ｂ】
0006412000.tif 000006
【図２Ｃ】
0006412000.tif 000007
【図３】
0006412000.tif 000008
【図４】
0006412000.tif 000009
【図５】
0006412000.tif 000010